(57)【要約】【課題】本発明は、目的地への経路案内機能の利用を適切に制限することを可能とする端末等を提供することを目的とする。【解決手段】本発明に係る端末（２）は、目的地への経路案内を行う端末であって、表示部（２０４）と、端末の移動に係るデータを出力するセンサ（２０７、２０８）と、センサから出力されたデータに基づいて端末が移動中であるか否かを判定する状態判定部（２２２）と、状態判定部が端末が移動中でないと判定した場合、表示部に経路案内情報を表示し、状態判定部が端末が移動中であると判定した場合、表示部において経路案内情報の表示の制限を行う制御部（２２３）とを有する。【選択図】図２
2015059769.tif 000002
【特許請求の範囲】
【請求項１】
目的地への経路案内を行う端末であって、
表示部と、
前記端末の移動に係るデータを出力するセンサと、
前記センサから出力されたデータに基づいて前記端末が移動中であるか否かを判定する状態判定部と、
前記状態判定部が前記端末が移動中でないと判定した場合、前記表示部に経路案内情報を表示し、前記状態判定部が前記端末が移動中であると判定した場合、前記表示部において前記経路案内情報の表示の制限を行う制御部と、
を有することを特徴とする端末。
【請求項２】
無線ＬＡＮのアクセスポイントと無線通信を行う無線通信部と、
移動中の経路案内機能の利用が禁止されるエリアに配置された無線ＬＡＮのアクセスポイントの識別情報を記憶する記憶部と、をさらに有し、
前記制御部は、前記状態判定部が前記端末が移動中であると判定し、且つ前記無線通信部を介して受信した前記アクセスポイントの識別情報が前記記憶部に記憶された識別情報と一致する場合、前記表示の制限を行う、請求項１に記載の端末。
【請求項３】
前記表示の制限とは、前記表示部において、前記経路案内情報が地図上に表示されているときは、前記経路案内情報を地図以外の画像上に表示するように変更することをいう、請求項１または２に記載の端末。
【請求項４】
前記地図以外の画像は、前記端末の撮像部が撮影した画像である、請求項３に記載の端末。
【請求項５】
前記表示の制限とは、前記表示部に前記経路案内情報を表示しないことをいう、請求項１または２に記載の端末。
【請求項６】
前記表示の制限とは、前記表示部において、前記経路案内情報上に所定の画像を重ねて表示することをいう、請求項１または２に記載の端末。
【請求項７】
前記所定の画像は、移動中の経路案内の使用に対する警告を示す画像である、請求項６に記載の端末。
【請求項８】
前記端末の移動に係るデータは、前記端末に加わる加速度もしくは回転角速度、及び／又は、前記端末の磁気の大きさである、請求項１〜７の何れか一項に記載の端末。
【請求項９】
表示部と、端末の移動に係るデータを出力するセンサとを有し、目的地への経路案内を行う端末の制御プログラムであって、
前記センサから出力されたデータに基づいて前記端末が移動中であるか否かを判定し、
前記端末が移動中でないと判定した場合、前記表示部に経路案内情報を表示し、前記端末が移動中であると判定した場合、前記表示部において前記経路案内情報の表示の制限を行う、
ことを前記端末に実行させることを特徴とする制御プログラム。
【発明の詳細な説明】
【技術分野】
【０００１】
本発明は、目的地への経路案内機能を有する端末及び制御プログラムに関する。
【背景技術】
【０００２】
近年、多機能携帯電話（いわゆる「スマートフォン」）が急速に普及している。このような携帯電話では、目的地への経路案内機能、特に携帯電話が有するカメラにより撮影された画像を利用して経路案内を行うＡＲ（Augmented Reality）ナビゲーション機能が提供されている。
【０００３】
例えば、特許文献１には、カメラの撮影方向と車両の進行方向との関係に基づいて、地図画像上に経路案内のための画像が表示された画像と、カメラによる撮影画像の上に、目的地までの方向や距離などの経路案内のための画像を重ねて表示させた画像を切り替える端末装置が開示されている。
【先行技術文献】
【特許文献】
【０００４】
【特許文献１】特開２０１２−２３０１１５号公報
【発明の概要】
【発明が解決しようとする課題】
【０００５】
しかしながら、従来、このような端末装置において、経路案内機能の利用制限はなされていなかった。
【０００６】
本発明は、このような従来の課題を解決すべくなされたものであり、目的地への経路案内機能の利用を適切に制限することを可能とする端末及び制御プログラムを提供することを目的とする。
【課題を解決するための手段】
【０００７】
本発明に係る端末は、目的地への経路案内を行う端末であって、表示部と、端末の移動に係るデータを出力するセンサと、センサから出力されたデータに基づいて端末が移動中であるか否かを判定する状態判定部と、状態判定部が端末が移動中でないと判定した場合、表示部に経路案内情報を表示し、状態判定部が端末が移動中であると判定した場合、表示部において経路案内情報の表示の制限を行う制御部と、を有する。
【０００８】
また、本発明に係る端末において、無線ＬＡＮのアクセスポイントと無線通信を行う無線通信部と、移動中の経路案内機能の利用が禁止されるエリアに配置された無線ＬＡＮのアクセスポイントの識別情報を記憶する記憶部と、をさらに有し、制御部は、状態判定部が端末が移動中であると判定し、且つ無線通信部を介して受信したアクセスポイントの識別情報が記憶部に記憶された識別情報と一致する場合、表示の制限を行うことが好ましい。
【０００９】
また、本発明に係る端末において、表示の制限とは、表示部において、経路案内情報が地図上に表示されているときは、経路案内情報を地図以外の画像上に表示するように変更することをいうことが好ましい。
【００１０】
また、本発明に係る端末において、地図以外の画像は、端末の撮像部が撮影した画像であることが好ましい。
【００１１】
また、本発明に係る端末において、表示の制限とは、表示部に経路案内情報を表示しないことをいうことが好ましい。
【００１２】
また、本発明に係る端末において、表示の制限とは、表示部において、経路案内情報上に所定の画像を重ねて表示することをいうことが好ましい。
【００１３】
また、本発明に係る端末において、所定の画像は、移動中の経路案内の使用に対する警告を示す画像であることが好ましい。
【００１４】
また、本発明に係る端末において、端末の移動に係るデータは、端末に加わる加速度もしくは回転角速度、及び／又は、端末の磁気の大きさであることが好ましい。
【００１５】
本発明に係る端末の制御プログラムは、表示部と、端末の移動に係るデータを出力するセンサとを有し、目的地への経路案内を行う端末の制御プログラムであって、センサから出力されたデータに基づいて端末が移動中であるか否かを判定し、端末が移動中でないと判定した場合、表示部に経路案内情報を表示し、端末が移動中であると判定した場合、表示部において経路案内情報の表示の制限を行うことを端末に実行させる。
【発明の効果】
【００１６】
本発明に係る端末及び制御プログラムは、端末が移動中である場合、経路案内情報の表示を制限することにより、目的地への経路案内機能の利用を適切に制限することを可能とする。
【図面の簡単な説明】
【００１７】
【図１】通信システム１の概略構成の一例を示す図である。
【図２】携帯端末２の概略構成の一例を示す図である。
【図３】携帯端末２の設定処理の動作フローの一例を示す図である。
【図４】経路案内処理の動作フローの一例を示す図である。
【図５】（ａ）は目的地指定方法選択画面の一例を示す図であり、（ｂ）は履歴選択画面の一例を示す図であり、（ｃ）はキーワード指定画面の一例を示す図であり、（ｄ）は目的地一覧画面の一例を示す図である。
【図６】（ａ）はモード選択画面の一例を示す図であり、（ｂ）は地図モード画面の一例を示す図であり、（ｃ）はＡＲモード画面の一例を示す図であり、（ｄ）は目的地一覧画面の一例を示す図である。
【図７】状態監視処理の動作フローの一例を示す図である。
【図８】状態判定処理の動作フローの一例を示す図である。
【図９】（ａ）は管理端末３の概略構成の一例を示す図であり、（ｂ）は被管理端末管理テーブルのデータ構造の一例を示す図である。
【図１０】携帯端末２の設定処理の動作フローの一例を示す図である。
【図１１】（ａ）は端末選択画面の一例を示す図であり、（ｂ）は機能選択画面の一例を示す図であり、（ｃ）は「電話帳の編集」の詳細設定画面の一例を示す図であり、（ｄ）は「状態監視の設定」の詳細設定画面の一例を示す図である。
【図１２】（ａ）は管理サーバ４の概略構成の一例を示す図であり、（ｂ）は端末管理テーブルのデータ構造の一例を示す図である。
【図１３】携帯端末２の設定処理の動作フローの一例を示す図である。
【発明を実施するための形態】
【００１８】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１９】
本実施形態では、携帯端末は、その携帯端末の移動に係るデータを出力するセンサを有し、センサから出力されたデータに基づいて携帯端末が移動中であるか否かを判定する。そして、携帯端末は、移動中であると判定した場合、目的地への経路案内に関する情報の表示を制限する。
【００２０】
図１は、通信システム１の概略構成の一例を示す図である。
【００２１】
通信システム１は、携帯端末２と、管理端末３と、管理サーバ４と、ＳＭＳ生成サーバ５と、ＳＭＳ送信サーバ６と、更新サーバ７とを有する。
【００２２】
通信システム１では、不図示の交換機が、広域通信回線網である通信ネットワーク９を介して相互に接続される。交換機は、ある地域をカバーする無線通信ネットワークを通信ネットワーク９に接続する。無線通信ネットワークには、それぞれ地域内をカバーする無線ゾーンを管理するように複数の基地局８ａ〜８ｃが配置される。各基地局８ａ〜８ｃは、それぞれが属する不図示の無線ネットワーク制御装置を介して交換機に接続される。そして、ある地域内の携帯端末２が、管理端末３等のその地域内外の他の携帯端末、管理サーバ４、ＳＭＳ送信サーバ６、更新サーバ７等と通信を行う際に、携帯端末２は、基地局８ａを介して交換機に接続され、さらに通信ネットワーク９に接続される。
【００２３】
また、通信ネットワーク９は、イーサネット（登録商標）等の有線ＬＡＮにより、不図示のゲートウェイを介して、イントラネット１０と接続される。イントラネット１０には、管理サーバ４、ＳＭＳ生成サーバ５、ＳＭＳ送信サーバ６及び更新サーバ７がさらに接続される。
【００２４】
なお、本実施形態では、携帯端末２のユーザとして使用にあたり支援が必要な者を想定し、管理端末３のユーザとしてその保護者を想定する。
【００２５】
ＳＭＳ生成サーバ５は、管理サーバ４からの要求に従ってメッセージを作成し、作成したメッセージをＳＭＴＰ（Simple Mail Transfer Protocol）のプロトコルに従って、イントラネット１０を介してＳＭＳ送信サーバ６へ送信するサーバである。
【００２６】
ＳＭＳ送信サーバ６は、イントラネット１０を介してＳＭＳ生成サーバ５から受信したメッセージをＳＭＳ（Short Message Service）のメッセージとして、基地局８ｃ及び通信ネットワーク９を介して携帯端末２に送信するサーバである。そのために、ＳＭＳ送信サーバ６は、イーサネット（登録商標）などの有線の通信インターフェース回路を有してイントラネット１０と通信を行う有線通信部と、主に２．１ＧＨｚ帯を感受帯域とするアンテナを含む通信インターフェース回路を有して通信ネットワーク９と無線通信を行う無線通信部とを有する。
【００２７】
更新サーバ７は、携帯端末２に特定のアプリケーションソフトウェアを提供するサーバである。
【００２８】
図２は、携帯端末２の概略構成の一例を示す図である。
【００２９】
携帯端末２は、通信装置の一例であり、例えば多機能携帯電話（いわゆる「スマートフォン」）であり、無線通信ネットワークへの接続、目的地への経路案内、携帯端末２の移動検知、所定のアプリケーションプログラムの実行等を可能とする。そのために、携帯端末２は、第１無線通信部２０１と、第２無線通信部２０２と、操作部２０３と、表示部２０４と、音声出力部２０５と、撮像部２０６と、加速度センサ２０７と、地磁気センサ２０８と、ＧＰＳ部２０９と、記憶部２１０と、中央処理部２２０とを備える。なお、携帯端末２は、通信機能を有する通信装置であればよく、例えば携帯情報端末（Personal Digital Assistant, PDA）、携帯ゲーム機、携帯音楽プレーヤ、タブレットＰＣ等でもよい。
【００３０】
第１無線通信部２０１は、主に２．１ＧＨｚ帯を感受帯域とするアンテナを含む、通信インターフェース回路を有し、携帯端末２を通信ネットワーク９に接続する。第１無線通信部２０１は、基地局８ａにより割り当てられるチャネルを介して、基地局８ａとの間でＣＤＭＡ（Code Division Multiple Access）方式等による無線信号回線を確立し、基地局８ａとの間で通信を行う。そして、第１無線通信部２０１は、基地局８ａから受信したデータを中央処理部２２０に供給する。また、第１無線通信部２０１は、中央処理部２２０から供給されたデータを基地局８ａに送信する。
【００３１】
第２無線通信部２０２は、主に２．４ＧＨｚ帯、５ＧＨｚ帯等を感受帯域とするアンテナを含む、通信インターフェース回路を有し、不図示の無線ＬＡＮ（Local Area Network）のアクセスポイントとの間でＩＥＥＥ（The Institute of Electrical and Electronics Engineers, Inc.）８０２．１１規格の無線通信方式に基づいて無線通信を行う。そして、第２無線通信部２０２は、アクセスポイントから受信したデータを中央処理部２２０に供給する。また、第２無線通信部２０２は、中央処理部２２０から供給されたデータをアクセスポイントに送信する。
【００３２】
なお、アクセスポイントは、アクセスポイントごとに一意に定められる識別情報であるＢＳＳＩＤ（Basic Service Set Identifier）を含むビーコンを一定間隔ごとにブロードキャスト配信する。これにより、携帯端末２は、アクセスポイントを認識することができる。
【００３３】
操作部２０３は、携帯端末２の操作が可能であればどのようなデバイスでもよく、例えば、タッチパネル式の入力装置、キーパッド等である。ユーザは、このデバイスを用いて、文字、数字等を入力することができる。操作部２０３は、ユーザにより操作されると、その操作に対応する信号を発生する。そして、発生した信号は、ユーザの指示として、中央処理部２２０に入力される。
【００３４】
表示部２０４は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２０４は、中央処理部２２０から供給される動画像データに応じた動画像、静止画像データに応じた静止画像等を表示する。
【００３５】
音声出力部２０５は、音声の出力が可能であればどのようなデバイスでもよく、例えば、スピーカである。音声出力部２０５は、中央処理部２２０から供給される音声信号に応じた音声を発する。
【００３６】
撮像部２０６は、２次元に配列され、受光した光量に応じた電気信号を出力する光電変換素子（例えば、ＣＣＤ（Charge Coupled Device）センサ、Ｃ−ＭＯＳ（Complementary Metal-Oxide-Semiconductor）など）と、その光電変換素子上に結像するための結像光学系を有するカメラである。撮像部１１は、撮影した画像を中央処理部２２０に供給する。
【００３７】
加速度センサ２０７は、中央処理部２２０からの要求に応じて、携帯端末２に加わる加速度を３軸方向毎に検出し、検出した加速度を携帯端末２の移動に係るデータとして出力する。加速度センサ２０７は、例えば、ピエゾ抵抗効果を利用したピエゾ抵抗型の３軸加速度センサ、又は静電容量の変化を利用した静電容量型の３軸加速度センサとすることができる。なお、加速度センサの代わりに、携帯端末２の回転角速度を検出するジャイロセンサを利用し、加速度の代わりに回転角速度を携帯端末２の移動に係るデータとして出力してもよい。
【００３８】
地磁気センサ２０８は、中央処理部２２０からの要求に応じて、携帯端末２の向きの方位及び磁気の大きさを検出し、検出した方位及び磁気の大きさを携帯端末２の移動に係るデータとして出力する。
【００３９】
ＧＰＳ部２０９は、位置検出部の一例であり、主に１．５ＧＨｚ帯を感受帯域とするアンテナを含む、ＧＰＳ回路を有し、不図示のＧＰＳ衛星からＧＰＳ信号を受信する。ＧＰＳ部２０９は、そのＧＰＳ信号をデコードし、時刻情報等を取得する。そして、ＧＰＳ部２０９は、その時刻情報等に基づいてＧＰＳ衛星から携帯端末２までの擬似距離を計算し、その擬似距離を代入して得られる連立方程式を解くことにより、携帯端末２が存在する位置（緯度、経度、高度等）を検出し、位置情報として出力する。
【００４０】
記憶部２１０は、例えば、半導体メモリを有する。記憶部２１０は、中央処理部２２０での処理に用いられるドライバプログラム、オペレーティングシステムプログラム、アプリケーションプログラム、データ等を記憶する。例えば、記憶部２１０は、ドライバプログラムとして、第１無線通信部２０１を制御する携帯電話通信デバイスドライバプログラム、第２無線通信部２０２を制御する無線ＬＡＮ通信デバイスドライバプログラム、操作部２０３を制御する入力デバイスドライバプログラム、表示部２０４を制御する出力デバイスドライバプログラム等を記憶する。また、記憶部２１０は、オペレーティングシステムプログラムとして、ＩＥＥＥ８０２．１１規格の無線通信方式を実行する接続制御プログラム、携帯電話の接続制御プログラム等を記憶する。また、記憶部２１０は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２１０にインストールされてもよい。また、記憶部２１０は、データとして、携帯端末２の状態を監視するか否かを定める状態監視フラグ、移動中の経路案内機能の利用が禁止されるエリア（例えば、駅等）に配置されたアクセスポイントのＢＳＳＩＤ、経路案内に用いる地図、電話帳等を記憶する。さらに、記憶部２１０は、所定の処理に係る一時的なデータを一時的に記憶してもよい。
【００４１】
中央処理部２２０は、一又は複数個のプロセッサ及びその周辺回路を有する。中央処理部２２０は、携帯端末２の全体的な動作を統括的に制御するものであり、例えば、ＣＰＵ（Central Processing Unit）である。中央処理部２２０は、携帯端末２の各種処理が記憶部２１０に記憶されているプログラム、操作部２０３の操作、加速度センサ２０７、地磁気センサ２０８及びＧＰＳ部２０９からの出力等に応じて適切な手順で実行されるように、第１無線通信部２０１、第２無線通信部２０２、表示部２０４、音声出力部２０５、撮像部２０６等の動作を制御する。中央処理部２２０は、記憶部２１０に記憶されているプログラム（ドライバプログラム、オペレーティングシステムプログラム、アプリケーションプログラム等）に基づいて処理を実行する。また、中央処理部２２０は、複数のプログラム（アプリケーションプログラム等）を並列に実行することができる。
【００４２】
中央処理部２２０は、設定受付部２２１と、状態判定部２２２と、制御部２２３とを有する。中央処理部２２０が有するこれらの各部は、中央処理部２２０が有するプロセッサ上で実行されるプログラムによって実装される機能モジュールである。あるいは、中央処理部２２０が有するこれらの各部は、独立した集積回路、マイクロプロセッサ、又はファームウェアとして携帯端末２に実装されてもよい。
【００４３】
図３は、中央処理部２２０による携帯端末２の設定処理の動作フローの一例を示す図である。なお、以下に説明する動作フローは、予め記憶部２１０に記憶されているプログラムに基づいて、主に中央処理部２２０により、携帯端末２の各要素と協働して実行される。
【００４４】
最初に、設定受付部２２１は、第１無線通信部２０１を介してＳＭＳ送信サーバ６から、携帯端末２への設定要求があったことを通知する設定通知を受信するまで待機する（ステップＳ１０１）。
【００４５】
後述するように、管理端末３は、携帯端末２の設定を行うことができる。管理端末３は、携帯端末２への設定を行う場合、携帯端末２への設定要求を管理サーバ４へ送信する。管理サーバ４は、管理端末３から、携帯端末２への設定要求を受信すると、設定通知を生成してＳＭＳ生成サーバ５に送信する。ＳＭＳ生成サーバ５は、受信した設定通知をＳＭＴＰのプロトコルに従って電子メールとしてＳＭＳ送信サーバ６に送信し、ＳＭＳ送信サーバ６は、受信した設定通知をＳＭＳのメッセージとして携帯端末２に送信する。
【００４６】
設定通知には、設定要求がなされた旨、設定要求がなされた設定機能、及び、設定項目が格納された領域へアクセスするためのＵＲＬ（Uniform Resource Locator）等が含まれる。設定機能は、管理端末３により特定の項目が設定される機能であり、例えば「電話帳の編集」、「状態監視の設定」等である。設定項目は、設定機能について、管理端末３により設定される項目である。設定機能が「電話帳の編集」である場合、設定項目は、編集される連絡先、名前、ふりがな、電話番号、メールアドレス等である。また、設定機能が「状態監視の設定」である場合、設定項目は、状態監視をＯＮにするか否か等である。ＵＲＬには、管理サーバ４のアドレス、並びに、管理端末３により指定された各設定項目が格納されたフォルダ名及びファイル名が示される。
【００４７】
次に、設定受付部２２１は、第１無線通信部２０１を介してＳＭＳ送信サーバ６から設定通知を受信すると（ステップＳ１０１−Ｙｅｓ）、第１無線通信部２０１を介して管理サーバ４へ、設定項目の取得を要求する設定取得要求を送信する。そして、設定受付部２２１は、第１無線通信部２０１を介して管理サーバ４から、設定取得要求に対する応答である設定取得応答を受信することにより、設定項目を取得する（ステップＳ１０２）。
【００４８】
設定受付部２２１は、例えば、ＨＴＴＰ（Hypertext Transfer Protocol）のプロトコルに従って、設定通知に含まれるＵＲＬにアクセスすることにより設定項目を取得する。
【００４９】
次に、設定受付部２２１は、設定通知に含まれる設定機能について、取得した設定項目を設定し（ステップＳ１０３）、一連のステップを終了する。
【００５０】
設定受付部２２１は、例えば、設定機能が「電話帳の編集」である場合、記憶部２１０に記憶された電話帳に、設定項目において指定された連絡先の名前、ふりがな、電話番号、メールアドレス等を設定する。また、設定受付部２２１は、設定機能が「状態監視の設定」である場合、設定項目において状態監視をＯＮにすると指定されているか否かに従って、記憶部２１０に記憶された状態監視フラグを設定する。
【００５１】
このように、管理サーバ４は、設定通知をＳＭＳ生成サーバ５及びＳＭＳ送信サーバ６を介してＳＭＳのメッセージとして携帯端末２に送信することにより、携帯端末２にＨＴＴＰサーバ機能等を実装することなく、管理端末３から設定要求を受信した旨を携帯端末２にリアルタイムに通知することができる。また、携帯端末２は、ＨＴＴＰのプロトコルに従って設定項目を管理サーバ４から取得することにより、ＳＭＳのメッセージで送信することが困難な大容量の設定項目を取得することができる。上記機能は、管理サーバ４がＨＴＴＰサーバ機能を有していれば実現可能であり、携帯端末２にＨＴＴＰサーバ機能等を実装する必要がないため、携帯端末２の開発規模を高めることなく実現することができる。
【００５２】
図４は、中央処理部２２０による経路案内処理の動作フローの一例を示す図である。なお、以下に説明する動作フローは、予め記憶部２１０に記憶されているプログラムに基づいて、主に中央処理部２２０により、携帯端末２の各要素と協働して実行される。この動作フローは、ユーザにより操作部２０３を介して経路案内の実施が指示された場合に実行される。
【００５３】
最初に、制御部２２３は、目的地指定方法選択画面を表示部２０４に表示する（ステップＳ２０１）。
【００５４】
図５（ａ）〜（ｄ）、図６（ａ）〜（ｃ）は、経路案内処理に用いられる各画面の一例を示す図である。
【００５５】
図５（ａ）は、目的地指定方法選択画面の一例を示す。図５（ａ）に示すように、目的地指定方法選択画面５００には、「履歴から探す」ボタン５０１と、「キーワードで探す」ボタン５０２が表示される。
【００５６】
次に、制御部２２３は、操作部２０３を介してユーザにより「履歴から探す」ボタン５０１がタップされると（ステップＳ２０２−Ｙｅｓ）、履歴選択画面を表示部２０４に表示する（ステップＳ２０３）。
【００５７】
図５（ｂ）は、履歴選択画面の一例を示す。図５（ｂ）に示すように、履歴選択画面５１０には、ユーザが過去に目的地として指定した各目的地を示すボタン５１１が表示される。
【００５８】
次に、制御部２２３は、操作部２０３を介してユーザにより、履歴選択画面５１０に表示された各目的地を示すボタン５１１のうちの何れかのボタンがタップされると、タップされたボタンに対応する目的地を取得する（ステップＳ２０４）。
【００５９】
一方、制御部２２３は、操作部２０３を介してユーザにより「キーワードで探す」ボタン５０２がタップされると（ステップＳ２０２−Ｎｏ）、キーワード指定画面を表示部２０４に表示する（ステップＳ２０５）。
【００６０】
図５（ｃ）は、キーワード指定画面の一例を示す。図５（ｃ）に示すように、キーワード指定画面５２０には、キーワード入力欄５２１と、「探す」ボタン５２２とが表示される。
【００６１】
次に、制御部２２３は、操作部２０３を介してユーザにより、キーワード入力欄５２１にキーワードが入力され、「探す」ボタン５２２がタップされると、キーワード入力欄５２１に入力されたキーワードを含む、予め登録された目的地の一覧を示す目的地一覧画面を表示部２０４に表示する。
【００６２】
図５（ｄ）は、目的地一覧画面の一例を示す。図５（ｄ）に示すように、目的地一覧画面５３０には、キーワード入力欄５２１に入力されたキーワードを含む、予め登録された各目的地を示すボタン５３１が表示される。
【００６３】
次に、制御部２２３は、操作部２０３を介してユーザにより、目的地一覧画面５３０に表示された各目的地を示すボタン５３１のうちの何れかのボタンがタップされると、タップされたボタンに対応する目的地を取得する（ステップＳ２０６）。
【００６４】
次に、制御部２２３は、ステップＳ２０４又はＳ２０６で目的地を取得すると、モード選択画面を表示部２０４に表示する（ステップＳ２０７）。
【００６５】
図６（ａ）は、モード選択画面の一例を示す。図６（ａ）に示すように、モード選択画面６００には、「ＡＲモードで開始する」ボタン６０１と、「地図モードで開始する」ボタン６０２が表示される。
【００６６】
制御部２２３は、経路案内に関する情報である経路案内情報の表示モードとして、ＡＲモードと地図モードとを有する。ＡＲモードは、撮像部２０６により撮影された画像上に、経路案内に関する経路案内情報を表示するモードであり、地図モードは、記憶部２１０に記憶された地図上に経路案内情報を表示するモードである。
【００６７】
次に、制御部２２３は、操作部２０３を介してユーザにより「地図モードで開始する」ボタン６０２がタップされると（ステップＳ２０８−Ｎｏ）、地図モードで経路案内を実行し、地図モード画面を表示部２０４に表示する（ステップＳ２０９）。
【００６８】
制御部２２３は、定期的に、ＧＰＳ部２０９から位置情報を取得し、取得した位置情報に示される位置を現在位置とする。制御部２２３は、例えば、現在位置と目的地との間の経路ごとに距離を算出し、距離が最も短くなる経路を目的地への経路として決定する。制御部２２３は、現在位置、目的地、決定した経路、距離等を経路案内情報として生成する。
【００６９】
図６（ｂ）は、地図モード画面の一例を示す。図６（ｂ）に示すように、地図モード画面６１０には、記憶部２１０に記憶された地図上に経路案内情報を表示した画像が表示される。また、地図モード画面６１０には、経路案内情報として現在位置６１１、目的地６１２、現在位置と目的地の間の経路６１３、目的地までの距離６１４等が表示される。さらに、地図モード画面６１０には、「ＡＲモードにする」ボタン６１５が表示される。
【００７０】
一方、制御部２２３は、操作部２０３を介してユーザにより「ＡＲモードで開始する」ボタン６０１がタップされると（ステップＳ２０８−Ｙｅｓ）、ＡＲモードで経路案内を実行し、ＡＲモード画面を表示部２０４に表示する（ステップＳ２１０）。
【００７１】
制御部２２３は、ＡＲモードにおいても、地図モードと同様にして、目的地への経路を決定し、現在位置、目的地、決定した経路、距離等を経路案内情報として生成する。また、制御部２２３は、決定した経路上で道路に分岐がある場合、各分岐点までの距離、各分岐点においてユーザが右折、左折又は直進等、何れの方向に進行すべきかを表す進行方向情報等も経路案内情報として生成する。
【００７２】
さらに、制御部２２３は、地磁気センサ２０８が出力した携帯端末２の向きの方位に基づいて携帯端末２の向きを判定し、撮像部２０６が撮影した画像上において、携帯端末２の向きに応じた所定位置に所定の経路案内情報を表示する。なお、制御部２２３は、撮像部２０６が撮影した画像から公知の画像処理技術により道路、交差点等を検出し、検出した各位置に所定の経路案内情報を表示してもよい。
【００７３】
また、制御部２２３は、各分岐点においてユーザが右折又は左折等の方向転換を行う必要がある場合、方向転換を指示する音声を音声出力部２０５に出力させることにより、又は不図示の振動発生部を所定のパターンで振動させることにより、方向転換の指示をユーザへ通知する。
【００７４】
図６（ｃ）は、ＡＲモード画面の一例を示す。図６（ｃ）に示すように、ＡＲモード画面６２０には、撮像部２０６が撮影した画像上に経路案内情報を表示した画像が表示される。また、ＡＲモード画面６２０には、経路案内情報として、目的地までの距離６２１、分岐点までの距離６２２、進行方向情報６２３等が表示される。さらに、ＡＲモード画面６２０には、「地図モードにする」ボタン６２４が表示される。
【００７５】
制御部２２３は、ステップＳ２１１〜Ｓ２１５において、経路案内を実行し続ける。
【００７６】
制御部２２３は、ステップＳ２１０又はＳ２１１において経路案内を実行すると、操作部２０３を介してユーザにより、モード変更が指示されたか否かを判定する（ステップＳ２１１）。制御部２２３は、地図モード画面６１０において「ＡＲモードにする」ボタン６１５がタップされたか否か、又はＡＲモード画面６２０において「地図モードにする」ボタン６２４がタップされたか否かにより、モード変更が指示されたか否かを判定する。
【００７７】
制御部２２３は、モード変更が指示されていない場合（ステップＳ２１１−Ｎｏ）、特に処理を行わず、処理をステップＳ２１３に移行する。一方、制御部２２３は、モード変更が指示された場合（ステップＳ２１１−Ｙｅｓ）、経路案内のモードを指示されたモードに変更する（ステップＳ２１２）。
【００７８】
次に、制御部２２３は、記憶部２１０に記憶された状態監視フラグがＯＮであるか否かを判定する（ステップＳ２１３）。
【００７９】
制御部２２３は、状態監視フラグがＯＮでない場合（ステップＳ２１３−Ｎｏ）、特に処理を行わず、処理をステップＳ２１５に移行する。一方、制御部２２３は、状態監視フラグがＯＮである場合（ステップＳ２１３−Ｙｅｓ）、状態監視処理を実施する（ステップＳ２１４）。状態監視処理の詳細については後述する。
【００８０】
次に、制御部２２３は、操作部２０３を介してユーザにより、経路案内の終了が指示されたか否かを判定する（ステップＳ２１５）。
【００８１】
制御部２２３は、経路案内の終了が指示されていない場合（ステップＳ２１５−Ｎｏ）、処理をステップＳ２１１に戻し、ステップＳ２１１〜Ｓ２１５の処理を繰り返す。一方、制御部２２３は、経路案内の終了が指示された場合（ステップＳ２１５−Ｙｅｓ）、一連のステップを終了する。
【００８２】
図７は、状態監視処理の動作フローの一例を示すフローチャートである。
【００８３】
図７に示す動作のフローは、図４に示すフローチャートのステップＳ２１４において実行される。
【００８４】
最初に、状態判定部２２２は、加速度センサ２０７及び地磁気センサ２０８から出力された、携帯端末２の移動に係るデータを取得する（ステップＳ３０１）。
【００８５】
次に、状態判定部２２２は、加速度センサ２０７及び地磁気センサ２０８から出力された、携帯端末２の移動に係るデータに基づいて携帯端末２が移動中であるか否かを判定する状態判定処理を実施する（ステップＳ３０２）。状態判定処理の詳細については後述する。
【００８６】
次に、制御部２２３は、状態判定処理において状態判定部２２２が携帯端末２が移動中であると判定したか否かを判定する（ステップＳ３０３）。
【００８７】
状態判定部２２２が携帯端末２が移動中でないと判定した場合（ステップＳ３０３−Ｎｏ）、制御部２２３は、処理をステップＳ３０９へ移行する。
【００８８】
一方、状態判定部２２２が携帯端末２が移動中であると判定した場合（ステップＳ３０３−Ｙｅｓ）、制御部２２３は、最近の一定期間（例えば、１秒間）内に第２無線通信部２０２を介してアクセスポイントから受信したビーコンに含まれていたＢＳＳＩＤを取得する（ステップＳ３０４）。中央処理部２２０は、第２無線通信部２０２を介してビーコンを受信するたびに、受信したビーコンからＢＳＳＩＤを抽出し、受信した時刻とともに記憶部２１０に記憶しておく。制御部２２３は、最近の一定期間内に受信したＢＳＳＩＤを記憶部２１０から読み出して取得する。
【００８９】
次に、制御部２２３は、取得したＢＳＳＩＤが、記憶部２１０に記憶された、移動中の経路案内機能の利用が禁止されるエリアに配置されたアクセスポイントのＢＳＳＩＤのうちの何れか一つと一致するか否かを判定する（ステップＳ３０５）。
【００９０】
制御部２２３は、取得したＢＳＳＩＤが、移動中の経路案内機能の利用が禁止されるエリアに配置されたアクセスポイントのＢＳＳＩＤのうちの何れとも一致しない場合（ステップＳ３０５−Ｎｏ）、処理をステップＳ３０９へ移行する。
【００９１】
一方、制御部２２３は、取得したＢＳＳＩＤが、移動中の経路案内機能の利用が禁止されるエリアに配置されたアクセスポイントのＢＳＳＩＤのうちの何れか一つと一致する場合（ステップＳ３０５−Ｙｅｓ）、ＧＰＳ部２０９から出力された位置情報を取得する（ステップＳ３０６）。
【００９２】
次に、制御部２２３は、取得した位置情報に示される位置が予め設定された位置であるか否かを判定する（ステップＳ３０７）。制御部２２３は、ジオフェンシングの技術を利用して、地図上にバーチャルなフェンスを設置し、位置情報に示される位置が特定のフェンス内にある場合に、その位置が予め設定された位置であると判定する。バーチャルなフェンスを移動中の経路案内機能の利用が禁止されるエリアに設定することにより、制御部２２３は、携帯端末２が移動中の経路案内機能の利用が禁止されるエリアに存在するか否かをより精度良く判定することができる。特に、バーチャルなフェンスを駅のホーム等に設定する場合、駅のホームの緯度、経度とともに高度を予め設定しておくことにより、制御部２２３は、携帯端末２が駅のホームに存在するか否かをより精度よく判定することができる。
【００９３】
なお、制御部２２３は、基地局８ａから受信したセルＩＤ（Identifier）を利用して、携帯端末２の現在位置を特定してもよい。
【００９４】
制御部２２３は、位置情報に示される位置が予め設定された位置でないと判定した場合（ステップＳ３０７−Ｎｏ）、処理をステップＳ３０９へ移行する。
【００９５】
一方、制御部２２３は、位置情報に示される位置が予め設定された位置であると判定した場合（ステップＳ３０７−Ｙｅｓ）、表示部２０４において、経路案内情報の表示の制限を行い（ステップＳ３０８）、一連のステップを終了する。
【００９６】
制御部２２３は、経路案内情報の表示の制限として、表示部２０４に経路案内情報を表示しないように制限する。つまり、表示の制限とは、表示部２０４に経路案内情報を表示しないことをいう。なお、制御部２２３は、経路案内情報の表示の制限として、撮像部２０６により撮影された画像又は記憶部２１０に記憶された地図も表示部２０４へ表示しないように制限してもよい。
【００９７】
また、制御部２２３は、経路案内情報の表示の制限として、表示部２０４において、経路案内情報上に所定の画像を重ねて表示してもよい。この場合、表示の制限とは、表示部２０４において、経路案内情報上に所定の画像を重ねて表示することをいう。所定の画像は、経路案内情報を覆い隠す画像であればどのような画像でもよく、例えば、「いったん立ち止まってから画面をご確認ください」等の、移動中の経路案内の使用に対する警告を示す画像、所定の色の単色画像、所定の模様が付された画像等である。なお、制御部２２３は、経路案内情報の表示の制限として、表示部２０４において、撮像部２０６により撮影された画像又は記憶部２１０に記憶された地図上にも所定の画像を重ねて表示してもよい。
【００９８】
また、制御部２２３は、経路案内情報の表示の制限として、地図モードでの経路案内情報の表示のみを制限し、撮像部２０６により撮影された画像によりユーザが周囲を確認することができるＡＲモードでの経路案内情報の表示は許可してもよい。例えば、制御部２２３は、地図モードで経路案内情報を表示しているときは、経路案内情報を地図以外の画像上に表示するように変更する。この場合、表示の制限とは、表示部２０４において、経路案内情報が地図上に表示されているときは、経路案内情報を地図以外の画像上に表示するように変更することをいう。地図以外の画像は、例えば撮像部２０６が撮影した画像である。つまり、制御部２２３は、地図モードで動作している場合、ＡＲモードに強制的に変更する。この場合、制御部２２３は、図４のステップＳ２１２においてもモードの変更を禁止する。
【００９９】
一方、ステップＳ３０７において、制御部２２３は、経路案内情報の表示の制限を行っているか否かを判定する（ステップＳ３０７）。
【０１００】
制御部２２３は、経路案内情報の表示の制限を行っていない場合（ステップＳ３０７−Ｎｏ）、特に処理を行わず、一連のステップを終了する。つまり、この場合、制御部２２３は、表示部２０４に経路案内情報を表示している。
【０１０１】
一方、制御部２２３は、経路案内情報の表示の制限を行っている場合（ステップＳ３０７−Ｙｅｓ）、表示の制限を解除し（ステップＳ３０８）、経路案内情報を表示部２０４に表示し、一連のステップを終了する。
【０１０２】
なお、ステップＳ３０４〜Ｓ３０５及び／又はＳ３０６〜Ｓ３０７の処理は省略してもよい。その場合、制御部２２３は、状態判定部２２２が携帯端末２が移動中でないと判定すると、取得したＢＳＳＩＤが移動中の経路案内機能の利用が禁止されるエリアに配置されたアクセスポイントのＢＳＳＩＤと一致するか否か、及び／又は、位置情報に示される位置が予め設定された位置であるか否かに関わらず、経路案内情報の表示の制限を行う。
【０１０３】
一方、ステップＳ３０４〜Ｓ３０５及び／又はＳ３０６〜Ｓ３０７の処理を実行することにより、制御部２２３は、携帯端末２を携帯するユーザが、移動中の経路案内機能の利用が禁止されるエリアにいる場合に限り、経路案内情報の表示の制限を行うことができる。
【０１０４】
図８は、状態判定処理の動作フローの一例を示すフローチャートである。
【０１０５】
図８に示す動作のフローは、図７に示すフローチャートのステップＳ３０２において実行される。
【０１０６】
最初に、状態判定部２２２は、加速度センサ２０７が出力した加速度が第１閾値以上であるか否かを判定する（ステップＳ４０１）。第１閾値は、事前の実験により、携帯端末２を携帯するユーザが移動していない状態で得られる加速度の平均値と、携帯端末２を携帯するユーザが移動している状態で得られる加速度の平均値との中間値に定められる。
【０１０７】
なお、状態判定部２２２は、所定時間（例えば１秒）内に加速度センサ２０７が出力した加速度の平均値が第１閾値以上であるか否かを判定してもよい。これにより、携帯端末２が移動中であるか否かの判定精度を向上させることが可能となる。
【０１０８】
状態判定部２２２は、加速度センサ２０７が出力した加速度が第１閾値未満である場合（ステップＳ４０１−Ｎｏ）、携帯端末２は移動中でないと判定し（ステップＳ４０２）、一連のステップを終了する。
【０１０９】
一方、状態判定部２２２は、加速度センサ２０７が出力した加速度が第１閾値以上である場合（ステップＳ４０１−Ｙｅｓ）、携帯端末２は移動中であると判定する（ステップＳ４０３）。
【０１１０】
次に、状態判定部２２２は、地磁気センサ２０８が出力した磁気の大きさが第２閾値以上であるか否かを判定する（ステップＳ４０４）。第２閾値は、事前の実験により、携帯端末２を携帯するユーザが電車に乗っている状態で得られる加速度の平均値と、携帯端末２を携帯するユーザが電車に乗っていない状態で得られる加速度の平均値との中間値に定められる。
【０１１１】
なお、状態判定部２２２は、所定時間（例えば１秒）内に地磁気センサ２０８が出力した磁気の大きさの平均値が第２閾値以上であるか否かを判定してもよい。これにより、携帯端末２を携帯するユーザが歩行しているか電車で移動しているかの判定精度を向上させることが可能となる。
【０１１２】
次に、状態判定部２２２は、地磁気センサ２０８が出力した磁気の大きさが第２閾値未満である場合（ステップＳ４０４−Ｎｏ）、携帯端末２を携帯するユーザは歩行中であると判定し（ステップＳ４０５）、一連のステップを終了する。
【０１１３】
一方、状態判定部２２２は、地磁気センサ２０８が出力した磁気の大きさが第２閾値以上である場合（ステップＳ４０４−Ｎｏ）、携帯端末２を携帯するユーザは歩行中でなく、電車等で移動中であると判定し（ステップＳ４０６）、一連のステップを終了する。
【０１１４】
このように、状態判定部２２２は、加速度センサ２０７から出力された加速度に基づいて携帯端末２が移動中であるか否かを判定し、携帯端末２が移動中であると判定した場合、地磁気センサ２０８から出力された磁気の大きさに基づいて、携帯端末２を携帯するユーザが歩行中であるか否かを判定する。
【０１１５】
なお、状態判定部２２２は、加速度センサ２０７から出力された加速度が第１閾値以上である場合、その加速度が第１閾値より大きい第３閾値以上であるか否かを判定し、第３閾値未満である場合、ユーザは歩行中であり、第３閾値以上である場合、ユーザは電車で移動していると判定してもよい。しかしながら、電車は頻繁に速度が変化するため、地磁気センサ２０８から出力された磁気の大きさに基づいて判定する方が、より精度良く、ユーザが歩行中であるか否かを判定することができる。
【０１１６】
なお、図７のステップＳ３０３において、制御部２２３は、携帯端末２が移動中であるか否かを判定するのではなく、携帯端末２を携帯するユーザが歩行中であるか否かを判定し、携帯端末２を携帯するユーザが歩行中である場合に限り、経路案内情報の表示の制限を行ってもよい。これにより、携帯端末２を携帯するユーザは、電車又は自動車で移動しているときは、経路案内機能を利用することが可能となる。
【０１１７】
図９（ａ）は、管理端末３の概略構成の一例を示す図である。
【０１１８】
管理端末３は、携帯端末２と同様に、通信装置の一例であり、例えば多機能携帯電話であり、無線通信ネットワークへの接続、携帯端末２への各種設定、所定のアプリケーションプログラムの実行等を可能とする。そのために、管理端末３は、第１無線通信部３０１と、第２無線通信部３０２と、操作部３０３と、表示部３０４と、音声出力部３０５と、撮像部３０６と、加速度センサ３０７と、地磁気センサ３０８と、ＧＰＳ部３０９と、記憶部３１０と、中央処理部３２０とを備える。なお、管理端末３は、通信機能を有する通信装置であればよく、例えば携帯情報端末、携帯ゲーム機、携帯音楽プレーヤ、タブレットＰＣ等でもよい。
【０１１９】
第１無線通信部３０１、第２無線通信部３０２、操作部３０３、表示部３０４、音声出力部３０５、撮像部３０６、加速度センサ３０７、地磁気センサ３０８、ＧＰＳ部３０９及び記憶部３１０は、携帯端末２の第１無線通信部２０１、第２無線通信部２０２、操作部２０３、表示部２０４、音声出力部２０５、撮像部２０６、加速度センサ２０７、地磁気センサ２０８、ＧＰＳ部２０９及び記憶部２１０と同様であるため、説明を省略する。
【０１２０】
ただし、記憶部３１０は、データとして、管理端末３から各種の設定をすることが可能な携帯端末２を管理する被管理端末管理テーブル（図９（ｂ））等を記憶する。
【０１２１】
図９（ｂ）は、被管理端末管理テーブルのデータ構造の一例を示す図である。
【０１２２】
図９（ｂ）には、被管理端末管理テーブルが示されている。被管理端末管理テーブルは、管理端末３から各種の設定をすることが可能な各携帯端末２について、当該携帯端末２の識別番号（被管理端末ＩＤ）、被管理者の名前（例えば、父）、電話番号、メールアドレス等が記憶される。
【０１２３】
中央処理部３２０は、携帯端末２の中央処理部２２０と同様に、管理端末３の全体的な動作を統括的に制御するものであり、例えば、ＣＰＵである。
【０１２４】
中央処理部３２０は、設定要求部３２１を有する。設定要求部３２１は、中央処理部２２０が有するプロセッサ上で実行されるプログラムによって実装される機能モジュールである。あるいは、設定要求部３２１は、独立した集積回路、マイクロプロセッサ、又はファームウェアとして管理端末３に実装されてもよい。
【０１２５】
図１０は、中央処理部３２０による携帯端末２の設定処理の動作フローの一例を示す図である。なお、以下に説明する動作フローは、予め記憶部３１０に記憶されているプログラムに基づいて、主に中央処理部３２０により、管理端末３の各要素と協働して実行される。
【０１２６】
最初に、設定要求部３２１は、端末選択画面を表示部３０４に表示する（ステップＳ５０１）。
【０１２７】
図１１（ａ）〜（ｄ）は、携帯端末２の設定処理に用いられる各画面の一例を示す図である。
【０１２８】
図１１（ａ）は、端末選択画面の一例を示す。図１１（ａ）に示すように、端末選択画面１１００には、管理端末３から各種の設定をすることが可能な携帯端末２毎に、当該携帯端末２のユーザ（被管理者）の名前、電話番号、メールアドレス等の情報１１０１が表示される。また、端末選択画面１１００には、設定処理を終了するための終了ボタン１１０２が表示される。
【０１２９】
次に、設定要求部３２１は、操作部２０３を介して管理者による設定対象とする携帯端末２の指定を受け付ける（ステップＳ５０２）。
【０１３０】
次に、設定要求部３２１は、機能選択画面を表示部３０４に表示する（ステップＳ５０３）。
【０１３１】
図１１（ｂ）は、機能選択画面の一例を示す。図１１（ｂ）に示すように、機能選択画面１１１０には、管理端末３が設定することが可能な機能の一覧１１１１が表示される。また、機能選択画面１１１０には、端末選択画面に戻るための「戻る」ボタン１１１２が表示される。
【０１３２】
次に、設定要求部３２１は、操作部２０３を介して管理者による設定対象とする携帯端末２の機能の指定を受け付ける（ステップＳ５０４）。
【０１３３】
次に、設定要求部３２１は、詳細設定画面を表示部３０４に表示する（ステップＳ５０５）。
【０１３４】
図１１（ｃ）は、「電話帳の編集」の詳細設定画面の一例を示す。図１１（ｃ）に示すように、「電話帳の編集」の詳細設定画面１１２０には、連絡先ごとに、名前、ふりがな、電話番号及びメールアドレス等の設定項目１１２１が指定可能に表示される。また、詳細設定画面１１２０には、設定ボタン１１２２と、機能選択画面に戻るための「戻る」ボタン１１２３とが表示される。
【０１３５】
図１１（ｄ）は、「状態監視の設定」の詳細設定画面の一例を示す。図１１（ｃ）に示すように、「状態監視の設定」の詳細設定画面１１３０には、設定項目として、状態監視をＯＮにするか否かを指定するための選択ボタン１１３１が表示される。また、詳細設定画面１１３０には、設定ボタン１１３２と、機能選択画面に戻るための「戻る」ボタン１１３３とが表示される。
【０１３６】
なお、設定要求部３２１は、第１無線通信部３０１を介して管理サーバ４から、管理サーバ４が記憶している、携帯端末２に現在設定されている設定項目を取得して、取得した設定項目を詳細設定画面に表示してもよい。これにより、管理者は、携帯端末２に現在設定されている設定項目を参照しながら、設定項目を指定することができる。
【０１３７】
次に、設定要求部３２１は、操作部２０３を介して管理者による設定項目の指定を受け付ける（ステップＳ５０６）。設定要求部３２１は、操作部２０３を介して管理者により、設定項目が指定され、設定ボタンがタップされると、指定された設定項目を受け付ける。
【０１３８】
次に、設定要求部３２１は、詳細設定の指定を受け付けると、第１無線通信部３０１を介して管理サーバ４へ設定要求を送信する（ステップＳ５０７）。設定要求には、携帯端末２の被管理端末ＩＤ、管理端末３の管理端末ＩＤ、ステップＳ５０４で受け付けた設定機能、ステップＳ５０６で受け付けた設定項目等が含まれる。
【０１３９】
次に、設定要求部３２１は、第１無線通信部３０１を介して管理サーバ４から設定応答を受信するまで待機する（ステップＳ５０８）。
【０１４０】
次に、設定要求部３２１は、第１無線通信部３０１を介して管理サーバ４から設定応答を受信すると（ステップＳ５０８−Ｙｅｓ）、受信した設定応答に示される結果を表示部３０４に表示し（ステップＳ５０９）、一連のステップを終了する。
【０１４１】
図１２（ａ）は、管理サーバ４の概略構成の一例を示す図である。
【０１４２】
管理サーバ４は、通信装置の一例であり、管理端末３から携帯端末２への設定要求を受信し、受信した設定要求が正しいか否かを判定して、ＳＭＳ生成サーバ５及びＳＭＳ送信サーバ６を介して携帯端末２へ設定通知を送信する。そのために、管理サーバ４は、サーバ通信部４０１と、サーバ記憶部４０２と、サーバ処理部４１０とを備える。
【０１４３】
サーバ通信部４０１は、イーサネット（登録商標）などの有線の通信インターフェース回路を有する。サーバ通信部４０１は、通信ネットワーク９を介して携帯端末２、管理端末３、ＳＭＳ生成サーバ５等と通信を行う。そして、サーバ通信部４０１は、携帯端末２、管理端末３、ＳＭＳ生成サーバ５等から受信したデータをサーバ処理部４１０に供給する。また、サーバ通信部４０１は、サーバ処理部４１０から供給されたデータを携帯端末２、管理端末３、ＳＭＳ生成サーバ５等に送信する。
【０１４４】
サーバ記憶部４０２は、例えば、半導体メモリ、磁気ディスク装置、及び光ディスク装置のうちの少なくともいずれか一つを有する。サーバ記憶部４０２は、サーバ処理部４１０による処理に用いられるドライバプログラム、オペレーティングシステムプログラム、アプリケーションプログラム、データ等を記憶する。例えば、サーバ記憶部４０２は、ドライバプログラムとして、サーバ通信部４０１を制御する通信デバイスドライバプログラム等を記憶する。また、サーバ記憶部４０２は、オペレーティングシステムプログラムとして、ＴＣＰ／ＩＰ（Transmission Control Protocol / Internet Protocol）等の通信方式による接続制御プログラム等を記憶する。また、サーバ記憶部４０２は、アプリケーションプログラムとして、各種データの送受信を行うととともに、管理端末３から受信した設定要求が正しいか否かを判定するデータ処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部４０２にインストールされてもよい。また、サーバ記憶部４０２は、データとして、各携帯端末２に対して各種の設定をすることが可能な各管理端末３を管理する端末管理テーブル（図１２（ｂ））、管理端末３から携帯端末２への設定要求で指定された設定機能及び設定項目（例えば、状態監視フラグ、電話帳等）等を記憶する。また、サーバ記憶部４０２は、所定の処理に係る一時的なデータを一時的に記憶する。
【０１４５】
図１２（ｂ）は、端末管理テーブルのデータ構造の一例を示す図である。
【０１４６】
図１２（ｂ）には、端末管理テーブルが示されている。端末管理テーブルは、設定可能な組合せ毎に、被管理端末である携帯端末２の識別番号（被管理端末ＩＤ）、管理端末３の識別番号（管理端末ＩＤ）、管理者の名前、電話番号、メールアドレス等が記憶される。
【０１４７】
サーバ処理部４１０は、一又は複数個のプロセッサ及びその周辺回路を有する。サーバ処理部４１０は、管理サーバ４の全体的な動作を統括的に制御するものであり、例えば、ＣＰＵである。サーバ処理部４１０は、管理サーバ４の各種処理がサーバ記憶部４０２に記憶されているプログラム等に応じて適切な手順で実行されるように、サーバ通信部４０１等の動作を制御する。サーバ処理部４１０は、サーバ記憶部４０２に記憶されているプログラム（ドライバプログラム、オペレーティングシステムプログラム、アプリケーションプログラム等）に基づいて処理を実行する。また、サーバ処理部４１０は、複数のプログラム（アプリケーションプログラム等）を並列に実行することができる。
【０１４８】
サーバ処理部４１０は、設定管理部４１１を有する。設定管理部４１１は、サーバ処理部４１０が有するプロセッサ上で実行されるプログラムによって実装される機能モジュールである。あるいは、設定管理部４１１は、独立した集積回路、マイクロプロセッサ、又はファームウェアとして管理サーバ４に実装されてもよい。
【０１４９】
図１３は、サーバ処理部４１０による携帯端末２の設定処理の動作フローの一例を示す図である。なお、以下に説明する動作フローは、予めサーバ記憶部４０２に記憶されているプログラムに基づいて、主にサーバ処理部４１０により、管理サーバ４の各要素と協働して実行される。
【０１５０】
最初に、設定管理部４１１は、サーバ通信部４０１を介して管理端末３から、携帯端末２への設定を要求する設定要求を受信するまで待機する（ステップＳ６０１）。
【０１５１】
次に、設定管理部４１１は、サーバ通信部４０１を介して管理端末３から設定要求を受信すると（ステップＳ６０１−Ｙｅｓ）、受信した設定要求に含まれる被管理端末ＩＤ及び管理端末ＩＤがサーバ記憶部４０２の端末管理テーブルに対応付けて登録された被管理端末ＩＤ及び管理端末ＩＤと一致するか否かを判定する（ステップＳ６０２）。
【０１５２】
次に、設定管理部４１１は、受信した設定要求に含まれる被管理端末ＩＤ及び管理端末ＩＤが端末管理テーブルに対応付けて登録された被管理端末ＩＤ及び管理端末ＩＤと一致しない場合（ステップＳ６０２−Ｎｏ）、設定拒否を示す設定応答をサーバ通信部４０１を介して管理端末３に送信し（ステップＳ６０３）、一連のステップを終了する。
【０１５３】
一方、設定管理部４１１は、受信した設定要求に含まれる被管理端末ＩＤ及び管理端末ＩＤが端末管理テーブルに対応付けて登録された被管理端末ＩＤ及び管理端末ＩＤと一致する場合（ステップＳ６０２−Ｙｅｓ）、受信した設定要求に含まれる設定機能及び設定項目をサーバ記憶部４０２に記憶する（ステップＳ６０４）。
【０１５４】
次に、設定管理部４１１は、設定許可を示す設定応答をサーバ通信部４０１を介して管理端末３に送信する（ステップＳ６０５）。
【０１５５】
次に、設定管理部４１１は、設定通知をサーバ通信部４０１を介してＳＭＳ生成サーバ５に送信する（ステップＳ６０６）。設定通知には、設定要求があった旨、設定要求に含まれる設定機能、設定項目が格納された領域へアクセスするためのＵＲＬ等が含まれる。
【０１５６】
次に、設定管理部４１１は、サーバ通信部４０１を介して携帯端末２から、設定取得要求を受信するまで待機する（ステップＳ６０７）。
【０１５７】
次に、設定管理部４１１は、サーバ通信部４０１を介して携帯端末２から設定取得要求を受信すると（ステップＳ６０７−Ｙｅｓ）、サーバ記憶部４０２に記憶しておいた設定項目を含む設定取得応答をサーバ通信部４０１を介して携帯端末２に送信し（ステップＳ６０８）、一連のステップを終了する。
【０１５８】
なお、サーバ記憶部４０２は、設定管理部４１１が携帯端末２に設定項目を送信した後も、対応する設定機能及び設定項目を、携帯端末２に現在設定されている設定機能及び設定項目として記憶し続ける。
【０１５９】
以上説明してきたように、携帯端末２は、加速度センサ２０７を用いて携帯端末２が移動中であるか否かを判定し、携帯端末２が移動中であると判定した場合、経路案内情報の表示を制限する。これにより、携帯端末２は、ユーザが携帯端末２を利用すべきでない状態であることを精度良く検出し、移動中の目的地への経路案内機能の利用を適切に制限することが可能となる。
【０１６０】
また、携帯端末２の各機能について、管理端末３からの保護者による設定が可能となり、携帯端末２のユーザが使用にあたり支援が必要な者であっても、携帯端末２を容易に利用することが可能となる。
【０１６１】
なお、本発明は、本実施形態に限定されるものではない。例えば、本実施形態では、管理端末３は、管理サーバ４を介して携帯端末２の設定を行ったが、管理サーバ４を介さずに、直接、携帯端末２に対して設定を行ってもよい。その場合、管理端末３は、携帯端末２に設定要求を送信し、携帯端末２が、管理端末３が携帯端末２に対して各種の設定をすることが可能な管理端末を判定する。そして、携帯端末２は、管理端末３が携帯端末２に対して各種の設定をすることが可能な管理端末である場合、設定要求に含まれる設定機能について、設定要求に含まれる設定項目を設定する。
【０１６２】
また、通信システム１においてＳＭＳ生成サーバ５及びＳＭＳ送信サーバ６を省略してもよい。その場合、管理サーバ４が、ＳＭＳ生成サーバ５及びＳＭＳ送信サーバ６の機能を有し、ＳＭＳのメッセージを直接携帯端末２に送信する。
【０１６３】
また、管理端末３から設定可能な携帯端末２の機能は、「電話帳の編集」及び「状態監視の設定」に限定されない。例えば、経路案内を行う目的地を管理端末３から携帯端末２へ設定できるようにしてもよい。また、移動中の経路案内機能の利用が禁止されるエリアに配置されたアクセスポイントのＢＳＳＩＤ、携帯端末２の位置情報と比較するためのバーチャルなフェンス等を管理端末３から携帯端末２へ設定できるようにしてもよい。これらにより、保護者による携帯端末２の設定が可能となり、携帯端末２のユーザが使用にあたり支援が必要な者であっても、携帯端末２のユーザは、経路案内機能を容易に利用することが可能となる。
【０１６４】
当業者は、本発明の精神及び範囲から外れることなく、様々な変更、置換及び修正をこれに加えることが可能であることを理解されたい。
【符号の説明】
【０１６５】
１    通信システム
２    携帯端末
２０４    表示部
２０６    撮像部
２０７    加速度センサ
２０８    地磁気センサ
２１０    記憶部
２２０    中央処理部
２２１    設定受付部
２２２    状態判定部
２２３    制御部
【図１】
2015059769.tif 000003
【図２】
2015059769.tif 000004
【図３】
2015059769.tif 000005
【図４】
2015059769.tif 000006
【図５】
2015059769.tif 000007
【図６】
2015059769.tif 000008
【図７】
2015059769.tif 000009
【図８】
2015059769.tif 000010
【図９】
2015059769.tif 000011
【図１０】
2015059769.tif 000012
【図１１】
2015059769.tif 000013
【図１２】
2015059769.tif 000014
【図１３】
2015059769.tif 000015
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
目的地への経路案内を行う端末であって、
表示部と、
前記端末の移動に係るデータを出力するセンサと、
前記センサから出力されたデータが所定の閾値以上であるか否かに基づいて前記端末が移動中であるか否かを判定し、前記端末が移動中であると判定した場合、さらに、前記センサから出力されたデータが前記所定の閾値より大きい閾値以上であるか否かに基づいて前記端末を携帯するユーザが歩行中であるか又は電車若しくは自動車で移動中であるかを判定する状態判定部と、
前記状態判定部が前記端末が移動中でない又は電車若しくは自動車で移動中であると判定した場合、前記表示部に経路案内情報を表示し、前記状態判定部が前記端末を携帯するユーザが歩行中であると判定した場合、前記表示部において前記経路案内情報の表示の制限を行う制御部と、
を有することを特徴とする端末。
【請求項２】
無線ＬＡＮのアクセスポイントと無線通信を行う無線通信部と、
移動中の経路案内機能の利用が禁止されるエリアに配置された無線ＬＡＮのアクセスポイントの識別情報を記憶する記憶部と、をさらに有し、
前記制御部は、前記状態判定部が前記端末が移動中であると判定し、且つ前記無線通信部を介して受信した前記アクセスポイントの識別情報が前記記憶部に記憶された識別情報と一致する場合、前記表示の制限を行う、請求項１に記載の端末。
【請求項３】
前記表示の制限とは、前記表示部において、前記経路案内情報が地図上に表示されているときは、前記経路案内情報を地図以外の画像上に表示するように変更することをいう、請求項１または２に記載の端末。
【請求項４】
前記地図以外の画像は、前記端末の撮像部が撮影した画像である、請求項３に記載の端末。
【請求項５】
前記表示の制限とは、前記表示部に前記経路案内情報を表示しないことをいう、請求項１または２に記載の端末。
【請求項６】
前記表示の制限とは、前記表示部において、前記経路案内情報上に所定の画像を重ねて表示することをいう、請求項１または２に記載の端末。
【請求項７】
前記所定の画像は、移動中の経路案内の使用に対する警告を示す画像である、請求項６に記載の端末。
【請求項８】
前記端末の移動に係るデータは、前記端末に加わる加速度もしくは回転角速度、及び／又は、前記端末の磁気の大きさである、請求項１〜７の何れか一項に記載の端末。
【請求項９】
表示部と、端末の移動に係るデータを出力するセンサとを有し、目的地への経路案内を行う端末の制御プログラムであって、
前記センサから出力されたデータが所定の閾値以上であるか否かに基づいて前記端末が移動中であるか否かを判定し、
前記端末が移動中であると判定した場合、さらに、前記センサから出力されたデータが前記所定の閾値より大きい閾値以上であるか否かに基づいて前記端末を携帯するユーザが歩行中であるか又は電車若しくは自動車で移動中であるかを判定し、
前記端末が移動中でない又は電車若しくは自動車で移動中であると判定した場合、前記表示部に経路案内情報を表示し、前記端末を携帯するユーザが歩行中であると判定した場合、前記表示部において前記経路案内情報の表示の制限を行う、
ことを前記端末に実行させることを特徴とする制御プログラム。